【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
識別コードによりトランスポートブロックセットサイズが基地局から移動局へ通知され複数のチャネライゼーション符号を用いて前記基地局と移動局との間で通信を行う符号分割多元接続方式に基づく移動通信システムにおける情報通知方法であって、
前記基地局が、
１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを送信するステップを備え、
前記１の移動局が、
上記第１の識別コードと第２の識別コードと第３の識別コードとを受信するステップと、
前記第１の識別コードと第２の識別コードと第３の識別コードの組合せと前記トランスポートブロックセットサイズとの関係を示すテーブルに基づき、前記受信ステップで受信された前記第１の識別コードと第２の識別コードと第３の識別コードとの組合せにより前記トランスポートブロックセットサイズを識別するステップ、
を備えたことを特徴とする情報通知方法。
【請求項２】
識別される前記トランスポートブロックセットサイズの種類の数は、前記第３の識別コード単独で識別可能なトランスポートブロックセットサイズの種類の数を超える
ことを特徴とする請求項１記載の情報通知方法。
【請求項３】
前記基地局が、
前記１の移動局に送信する情報データの所定データ量毎にＣＲＣを付加するステップを備え、
前記トランスポートブロックセットサイズは該所定データ量のサイズである
ことを特徴とする請求項１または請求項２記載の情報通知方法。
【請求項４】
識別コードによりトランスポートブロックセットサイズが基地局から移動局へ通知され複数のチャネライゼーション符号を用いて前記基地局と移動局の間で通信を行う符号分割多元接続方式に基づく移動通信システムであって、
前記基地局が、
１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを送信する送信する装置を備え、
前記１の移動局が、
上記第１の識別コードと第２の識別コードと第３の識別コードとを受信する装置と、
前記第１の識別コードと第２の識別コードと第３の識別コードの組合せと前記トランスポートブロックセットサイズとの関係を示すテーブルに基づき、前記受信装置により受信された前記第１の識別コードと第２の識別コードと第３の識別コードとの組合せにより前記トランスポートブロックセットサイズ識別する装置とを備えた
ことを特徴とする移動通信システム。
【請求項５】
識別される前記トランスポートブロックセットサイズの種類の数は、前記第３の識別コード単独で識別可能な種類の数を超える
ことを特徴とする請求項４記載の移動通信システム。
【請求項６】
前記移動局に送信される情報データの所定データ量毎にＣＲＣを付加する手段を前記基地局に備え、
前記トランスポートブロックセットサイズは、該所定データ量のサイズである
ことを特徴とする請求項４または請求項５記載の移動通信システム。
【請求項７】
識別コードによりトランスポートブロックセットサイズを移動局に通知し複数のチャネライゼーション符号を用いて通信を行う符号分割多元接続方式に基づく基地局における情報通知方法であって、
１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを、
上記１の移動局であって、前記第１の識別コードと第２の識別コードと第３の識別コードの組合せと前記トランスポートブロックセットサイズとの関係を示すテーブルに基づき、前記第１の識別コードと第２の識別コードと第３の識別コードとの組合せにより前記トランスポートブロックセットサイズを識別する移動局、
に送信する送信ステップ
を備えたことを特徴とする情報通知方法。
【請求項８】
前記移動局により識別される前記トランスポートブロックセットサイズの種類の数は、前記第３の識別コード単独で識別可能なトランスポートブロックセットサイズの種類の数を超える
ことを特徴とする請求項７記載の情報通知方法。
【請求項９】
前記移動局に送信する情報データの所定データ量毎にＣＲＣを付加するステップを備え、
前記トランスポートブロックセットサイズは、該所定データ量のサイズである
ことを特徴とする請求項７または請求項８記載の情報通知方法。
【請求項１０】
識別コードによりトランスポートブロックセットサイズを移動局に通知し複数のチャネライゼーション符号を用いて通信を行う符号分割多元接続方式に基づく基地局であって、
１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを、
前記１の移動局であって、前記第１の識別コードと第２の識別コードと第３の識別コードの組合せと前記トランスポートブロックセットサイズとの関係を示すテーブルに基づき、前記第１の識別コードと第２の識別コードと第３の識別コードとの組合せにより前記トランスポートブロックセットサイズを識別する移動局、
に送信する手段
を備えたことを特徴とする基地局。
【請求項１１】
前記移動局により識別される前記トランスポートブロックセットサイズの種類の数は、前記第３の識別コード単独で識別可能なトランスポートブロックセットサイズの種類の数を超える
ことを特徴とする請求項１０記載の基地局。
【請求項１２】
前記移動局に送信する情報データの所定データ量毎にＣＲＣを付加する手段を備え、
前記トランスポートブロックセットサイズは、該所定データ量のサイズである
ことを特徴とする請求項１０または請求項１１記載の基地局。